(57)【要約】【課題】照明を暗くするような演出効果を損ねることなく、しかも演奏者や指揮者が楽譜を正確に読み取ることができしたがって円滑に演奏ができる電子楽譜表示装置などを提供すること。【解決手段】演奏する楽譜をディスプレイ画面上に表示する電子楽譜表示装置であって、前記楽譜の、演奏進行中及びこの後に続けて演奏する演奏部分２３ａを所定の明るさで表示すると共に、前記演奏部分以外の部分２３ｂを前記明るさより暗く表示する楽譜表示手段を備えて成る。【選択図】　図４
2004145219.tif 000002
【特許請求の範囲】
【請求項１】
演奏する楽譜をディスプレイ画面上に表示する電子楽譜表示装置であって、前記楽譜の、演奏進行中及びこの後に続けて演奏する演奏部分を所定の明るさで表示すると共に、前記演奏部分以外の部分を前記明るさより暗く表示する楽譜表示手段を備えて成ることを特徴とする電子楽譜表示装置。
【請求項２】
演奏する楽譜をディスプレイ画面上に１又は複数のページ単位で表示する電子楽譜表示装置であって、
複数段から成る前記楽譜の演奏中のページの、演奏進行中及びこの後に続けて演奏する演奏部分が含まれる演奏段を所定の明るさで表示すると共に、前記演奏段以外の段を前記明るさより暗く表示する楽譜表示手段を備えて成ることを特徴とする電子楽譜表示装置。
【請求項３】
前記演奏段以外の段は、反転表示又は縮小表示されることを特徴とする請求項２記載の電子楽譜表示装置。
【請求項４】
演奏する楽器に応じて同時に演奏される区間が並列に表示される総譜をディスプレイ画面上に１又は複数のページ単位で表示する電子楽譜表示装置であって、
前記総譜の演奏中のページの、演奏進行中及びこの後に続けて演奏する演奏部分が含まれる演奏区間を所定の明るさで表示すると共に、前記演奏区間以外の区間を前記明るさより暗く表示する楽譜表示手段を備えて成ることを特徴とする電子楽譜表示装置。
【請求項５】
前記演奏区間以外の区間は、反転表示又は縮小表示されることを特徴とする請求項４記載の電子楽譜表示装置。
【請求項６】
演奏する楽譜をディスプレイ画面上に表示する電子楽譜の表示方法であって、前記楽譜の、演奏進行中及びこの後に続けて演奏する演奏部分を所定の明るさで表示すると共に、前記演奏部分以外の部分を前記明るさより暗く表示することを特徴とする電子楽譜の表示方法。
【発明の詳細な説明】
【０００１】
【発明の属する技術分野】
本発明は、楽譜を電子的に表示する電子楽譜表示装置及び電子楽譜の表示方法に関する。
【０００２】
【従来の技術】
従来より、楽譜を電気的に表示画面に表示する電子楽譜表示装置は知られている。このような電子楽譜表示装置には一般的に液晶表示装置等が用いられるが、楽器のパートや演奏者の数に応じて数十人の演奏者で構成されるオーケストラが演奏する場合においては、液晶表示装置の画面上に表示されている楽譜の背景部分である白色が発光し、あたかも照明器具と同等の光が発せられている。
【０００３】
しかしながら、劇場などにおいては、オーケストラが演奏する場所全体の照明を暗くし、演出効果を効果的に用いる場合がある。この場合、オーケストラが数十人規模の多人数のときには、液晶表示装置から発せられる大量の光により、オーケストラが演奏する場所が明るくなり、照明を暗くした演出効果を損ねる場合があった。また、このような場合、演出効果を優先し、オーケストラの部分の照度を低くするために、液晶表示装置の照度を低下させた場合、正確に楽譜の読取りが出来なくなり、演奏に支障を来たすおそれがあった。
【０００４】
なお、各ページを自動的に切り替えて表示する電子的な楽譜表示装置（特許文献１、２参照）や、演奏されているページ内のその段の位置を変えず、その前までを次のページに置き換えるとか置き換わった部分を異なる色で表示することにより、楽譜の現在の演奏位置を演奏者が見失わないようにするデータ表示装置なども知られている（特許文献３、４参照）。
【０００５】
しかしながら、これらは、いずれも、演奏者の楽譜の読み取りを容易にすることは可能であるが、電子楽譜を表示する照明については着目しておらず、照明を暗くするような演出効果を損ねるおそれがあった。
【０００６】
【特許文献１】
・特開平６−４０７１（図１）
【特許文献２】
・特開２０００−２３１３７９（図４、段落［００２９］）
【特許文献３】
・特開２００２−６８３５（図１０）
【特許文献４】
・特開平１１−２４６４８（図６）
【０００７】
【発明が解決しようとする課題】
本発明は、上述のような、従来の電子楽譜装置における問題点に鑑みてなされたもので、数十人の規模のオーケストラで電子楽譜装置を用いた演奏においても照明を暗くするような演出効果を損ねることなく、しかも演奏者や指揮者が楽譜を正確に読み取ることができしたがって円滑に演奏ができる電子楽譜表示装置や電子楽譜の表示方法を提供することを目的とする。
【０００８】
【課題を解決するための手段】
本発明の特徴の１つは、演奏する楽譜の演奏部分を所定の明るさで表示すると共に、この演奏部分以外の部分を前記明るさより暗く表示する点にある。
【０００９】
上記目的を達成するために、請求項１の電子楽譜表示装置によれば、演奏する楽譜をディスプレイ画面上に表示する電子楽譜表示装置であって、前記楽譜の、演奏進行中及びこの後に続けて演奏する演奏部分を所定の明るさで表示すると共に、前記演奏部分以外の部分を前記明るさより暗く表示する楽譜表示手段を備えて成る。請求項１の発明によれば、劇場などにおいて、オーケストラなどの多数の演奏者が電子楽譜を用いて演奏を行う場合に、ディスプレィ画面からの楽譜の表示による光量が低減されるため、演奏部の照度を落とした演出効果を損なわずに演奏することができる。
【００１０】
請求項２の電子楽譜表示装置によれば、演奏する楽譜をディスプレイ画面上に１又は複数のページ単位で表示する電子楽譜表示装置であって、複数段から成る前記楽譜の演奏中のページの、演奏進行中及びこの後に続けて演奏する演奏部分が含まれる演奏段を所定の明るさで表示すると共に、前記演奏段以外の段を前記明るさより暗く表示する楽譜表示手段を備えて成る。請求項２の発明によれば、演奏段以外の部分を演奏段よりも暗く表示するので、演奏中の楽譜の位置を演奏者が容易に知ることができると共に、演出効果を損なわずに演奏を行うことが可能となる。
【００１１】
請求項４の電子楽譜表示装置によれば、演奏する楽器に応じて同時に演奏される区間が並列に表示される総譜をディスプレイ画面上に１又は複数のページ単位で表示する電子楽譜表示装置であって、前記総譜の演奏中のページの、演奏進行中及びこの後に続けて演奏する演奏部分が含まれる演奏区間を所定の明るさで表示すると共に、前記演奏区間以外の区間を前記明るさより暗く表示する楽譜表示手段を備えて成る。請求項４の発明によれば、指揮者は総譜の演奏進行中の部分を容易に知ることができ、しかも演出効果を損なわずに演奏を行うことができる。
【００１２】
請求項６の電子楽譜の表示方法によれば、演奏する楽譜をディスプレイ画面上に表示する電子楽譜の表示方法であって、前記楽譜の、演奏進行中及びこの後に続けて演奏する演奏部分を所定の明るさで表示すると共に、前記演奏部分以外の部分を前記明るさより暗く表示する。したがって、請求項６の発明によれば、演奏者や指揮者が演奏部分を容易に知ることができると共に、演出効果を損ねることのない、電子楽譜の表示方法が得られる。
【００１３】
【発明の実施の形態】
以下、本発明の各実施形態について図面を用いて説明する。まず、本発明に係る電子楽譜表示システムの一実施形態について、図１〜図６を参照して説明する。図１は、オーケストラにより演奏を行っている状態を示す図である。指揮者１ａと数十人の演奏者１ｂ〜１ｎにより曲を演奏する。指揮者１ａ及び演奏者１ｂ〜１ｎは、前方に楽譜スタンド２ａ〜２ｎを置いて、この楽譜スタンドに表示した電子楽譜を見て演奏する。電子楽譜は、各楽譜スタンド２ａ〜２ｎに組み込まれている電子楽譜表示端末（以下、端末という）３ａ〜３ｎの表示手段、例えば液晶表示装置に表示される。
【００１４】
次に、この電子楽譜表示装置の構成について、図１及び図２を参照して説明する。図２は電子楽譜表示装置の一実施形態である。端末２ａ〜２ｎは、フットペダルによる入力手段４と、入力手段４からの信号を各処理手段に伝達する制御手段１１と、データを表示する表示手段３と、プログラムを記憶するプログラム記憶手段１２と、楽譜情報を記憶する楽譜情報記憶手段１３と、楽譜情報を制御手段１１からの信号により抽出する抽出手段１４とが、母線１５に接続されて構成される。
【００１５】
制御手段１１は、入力手段４からの楽譜のページ送りやページ戻しの信号を抽出手段１４に伝達する。抽出手段１４は制御手段１１の信号により、電子楽譜情報を楽譜情報記憶手段１３から取り出す。取り出した電子楽譜情報は、表示手段３に表示される。入力手段４としては、手動でページ操作を行う場合として、ページ送り／戻しのスイッチとして、フットスイッチを用いる。指揮者１ａや演奏者１ｂ〜１ｎは、演奏に応じてフットスイッチを押して、該当する電子楽譜情報の更新操作を行う。
【００１６】
なおここでは、入力手段４はフットスイッチを用いるとして説明しているが、表示手段３のタッチスクリーン上に設けられたページ操作ボタンなどをタッチしてページ操作を行うようにしてもよい。電子楽譜情報がＭＩＤＩデータの場合は、ＭＩＤＩデータ内に有する制御信号を使用することにより自動的にページ送りが可能となるため、手あるいは足によるページ操作は不要となる。
【００１７】
次に、各端末に表示される情報について図１から図３を参照して説明する。図３は、表示手段３に表示された電子楽譜の表示例である。曲の長さにもよるが、電子楽譜２０は、通常、１枚から数枚の楽譜から構成されている。ここでは復数枚の楽譜から構成されている曲の場合を説明する。この楽譜は一つの楽器の演奏する部分のみを抽出したパート譜である。このため、演奏者は五線譜の上段から演奏を開始し、曲の進行に従って、順次下段の方に視線を移動して、楽譜を読み取って演奏を行う。
【００１８】
楽譜は電子化したデータとして、１枚の電子楽譜を五線譜の表示部分単位（Ｐ１−１〜Ｐ１−５）に表示エリアを区分して、楽譜情報記憶手段１３に保存される。電子楽譜は五線譜や音符、記号などの楽譜データ２１と背景部２２とに区分される。これらのデータは、楽譜データ部と背景部との表示色や表示サイズは任意に変更することが可能であり、指揮者や演奏者が用いる楽譜の内容や、個人の好みによる設定が可能である。
【００１９】
次に、電子楽譜情報の表示区分の切替えの動作について、図１〜図４を参照して説明する。図４は、図３に示した電子楽譜２０を、２段の５線譜毎に背景色の設定を行った例である。上部２段の五線譜の部分２２ａは現時点で演奏に必要となる五線譜の部分のため、鮮明に表示がされる必要があるため、背景を白色２３ａで表示している。３段以降の五線譜２２ｂは、背景を灰色２３ｂで表示されている。３段以降の背景色は表示手段３からの発光量を低減するため、白色から灰色に変更して表示している。
【００２０】
次に、演奏に伴って背景色を移動させる動作を、図１〜図５により説明する。図５は、図４で設定した楽譜情報２０を、演奏の流れに沿って電子楽譜のページと背景色の遷移状態を示した図である。また、図６は、楽譜表示の動作を示すフローチャートである。
【００２１】
図６において、演奏が開始される（Ｆ−１）と楽譜が表示される（Ｆ−２）。初期状態は図５（Ａ）に示す状態となっている。演奏者１ｂ〜１ｎは演奏開始時（Ｆ−１）において、電子楽譜２０の第１ページを端末２ｂ〜２ｎに表示（Ｆ−２）させ、最初の２段２３ａ（Ｐ１−１、Ｐ１−２）の背景色は白色として、五線譜が鮮明に表示されている。３段以降２３ｂ（Ｐ１−３〜Ｐ１−５）の部分は、現在の演奏には必要無いが、演奏者は予め次の演奏内容を確認することが可能な状態とするため、背景色を灰色の状態としている。
【００２２】
演奏の進行に従って、楽譜の第２段に演奏が入った時点で、演奏者１ｂ〜１ｎは、入力手段４のフットペダルを操作することにより、操作信号が入力（Ｆ−３）される。操作信号が入力されると、楽譜の最終ページかどうかを判定する（Ｆ−４）。最終ページ以外の場合、次に各楽譜の区分位置が最終区分かどうかを判定する（Ｆ−５）。最終区分以外の場合は背景色の更新を行う（Ｆ−６）。この結果、図５（Ｂ）に示す様に、Ｐ１―２、Ｐ１−３の背景色が白で、その他の部分は灰色の状態となる。
【００２３】
この更新は図５（Ｃ）に示す様に、最終区分の位置まで繰り返し更新される。
【００２４】
次に図５（Ｄ）の楽譜の最終区分において操作信号が入力された場合（Ｆ−５）、現在演奏している楽譜の次のページ（２ページ）を楽譜の１段目に表示（Ｆ−７）を行い、Ｐ２−１が表示される（図５（Ｅ））。この際、２ページ目が表示されている１段部のＰ２−１部分の背景色は、白色でも良いが、２段目以降に表示されているＰ１−２〜Ｐ１−５と表示されている楽譜のページが異なることを明確にするため、白以外の色に背景色を変更して表示している（Ｆ−８）（図５（Ｅ）の２３ｃ）。
【００２５】
この様に、次のページの第１区分のみ背景色を変更する表示ステップ（Ｆ−７）は、次の楽譜のページ内容を容易に確認することが可能となるもので、紙の楽譜では不可能なものであるが、本発明により実現可能となったもので、この結果、演奏をより効率的に行うことが可能となる。
【００２６】
次に図５（Ｅ）の状態から操作信号が入力（Ｆ−９）されると、２段以降の楽譜情報全てが２ページ目の楽譜情報に更新され（Ｆ−１０）、Ｐ２−１〜Ｐ２−５が表示される。また、背景色の表示更新も行われ（Ｆ−１１）、図５（Ｆ）の状態となる。これらの操作は、演奏に従って演奏の最後まで進行する。
【００２７】
一方、操作信号が入力（Ｆ−３）された際、楽譜の最終ページ（Ｆ−４）でありかつ、最終区分（Ｆ−１２）の場合には、背景色及び楽譜の表示更新はされず（Ｆ−１３）、終了（Ｆ−１４）となる（図５（Ｇ））。
【００２８】
図７は楽譜の区分方式と表示色、背景色などの設定を行うことを可能とする設定メニューの例である。このメニューは、表示手段３上に表示され、演奏者と指揮者により相違する楽譜の種類や個人毎の好みなどを任意に設定し、使い勝手の良い方式に容易に設定することが可能とするものである。本設定メニューとしては、区分方式と区分数、表示色や背景色の色、次のページの背景色を変えるか、背景色を模様とするか、拡大表示を行うかなどが可能である。
【００２９】
設定の方式は、各項目をメニュー状態として一覧表示し、各項目のチェックボタンをタッチスクリーンからの操作やマウス（図示せず）などを用いて選択する方式としている。図７の状態では、区分方式を横方向で、区分数が２段、表示色は楽譜が黒色、背景色は灰色、次背景色の変更を行い、背景模様は選択せず、拡大も選択しない状態を示している。
【００３０】
強調表示の方式としては、背景色を白色と灰色とに区分するもので説明したが、この色に限定されるものでは無く、画面表示の光量を低下させる機能を有するものであればハッチングや図形などの模様などでも良い。
【００３１】
図８の様に、楽譜データ２１ａと背景色２２ｃとを反転させたものでも良い。すなわち、演奏中及びこれに続き演奏される部分を含む演奏段以外を反転表示したものである。
この様に背景色全体の光量を抑えることで、画面全体の光量が低減され、なおかつ、視認性も確保可能である。
【００３２】
また、図示しないが、楽譜の演奏部分を拡大するようにしても良い。このようにする場合、現在演奏する部分のみを拡大表示し、他の演奏に使用していない部分は縮小された表示とすることにより、楽譜全体の情報量が増大して、より効果的な楽譜の表示が可能となる。
【００３３】
次に楽譜の区分方式を縦方向に区分して表示する例を図９、図１０及び図１〜図８を参照して説明する。図９は電子楽譜の中でも、全ての楽器の楽譜が記載された総譜を２ページ分表示したものである。オーケストラはバイオリンやピアノ、フルート等複数の楽器により構成されており、これらの楽器全ての楽譜が指揮者１ａの端末に表示される。
【００３４】
この楽譜の場合、図３〜図５に示す様な、演奏者１ｂ〜１ｎのパート譜で区分した五線譜単位の区分方式では、楽器単位で区分されるため、指揮者が用いる楽器としては表示区分が適切ではない。このため、分け方を五線譜単位ではなく、縦方向の小節単位（区間単位）に図７の設定メニューから実施する。この結果、第１ページ目をＰ１−１とＰ１−２、第２ページ目をＰ２−１とＰ２−２の４区分に分割し、背景色を２２ａと２２ｂに設定している。
【００３５】
図１０は図９で設定した区分の楽譜情報２０を、演奏の流れに沿って電子楽譜のページと背景色の遷移状態を示した図である。図１０（Ａ）の初期状態から、演奏に従い、順次背景色が移動し、図１０（Ｄ）で２ページの最終区分の位置となる。この際、第１区分には第３ページの第１区分が表示され、次の演奏内容を指揮者１ａが容易に把握可能としていることは図５の演奏者用の表示方式と同様である。その後、図１０（Ｆ）に示す様に、楽譜の最終ページであるＰｍ−１、Ｐｍ−２、Ｐｎ−１、Ｐｎ−２を表示し、演奏は終了する。
【００３６】
なお、上述の説明では、楽譜表示データとしてページ単位の画像データを保存するとして説明しているが、ＭＩＤＩデータで楽譜表示データを保存し、この表示を行うことも可能である。この場合、ＭＩＤＩデータが有する制御情報により、楽譜の更新や背景表示の更新は自動的に実施することが可能となり、操作信号は自動的に入力される。
【００３７】
この結果、現在の演奏中及びこれに続く演奏する部分の楽譜段のみ白色で表示され、それ以外の楽譜段は、背景色が灰色で表示される。これにより、演奏に必要な楽譜部分の光量を損なわずに、画面全体から発せられる光量を低下させることが可能となる。
【００３８】
なお、本発明の上記実施形態の説明では、楽譜の演奏中の２段を明るくしていたが、１段でも、あるいは３段以上でもよい。
【００３９】
また、本発明では、図９及び図１０により説明した総譜を縦方向の小節単位で表示を変える場合にも、演奏部分以外の部分を図８に示す如く反転表示するようにしてもよい。
【００４０】
【発明の効果】
以上説明したように、本発明によれば、演奏する楽譜の演奏部分を所定の明るさで表示すると共に、この演奏部分以外の部分を前記明るさより暗く表示するので、電子楽譜の表示画面から発光される光量を低減しても演奏に支障がでることなく演奏することが可能となり、しかも演出効果を損なわずに効果的な演奏をすることができる効果が得られる。
【図面の簡単な説明】
【図１】本発明に係る電子楽譜表示装置の一実施形態を説明するためのオーケストラ配置を示す図である。
【図２】図１の電子楽譜表示装置の構成を説明するための図である。
【図３】図１の電子楽譜表示端末の画面に表示される電子楽譜を五線譜の段単位に区分した状態を説明するための図である。
【図４】電子楽譜の表示区分に従って背景色を設定する本発明の一実施形態を説明するための図である。
【図５】本発明の一実施形態において、図４の電子楽譜の表示区分が遷移している状態を説明するための図である。
【図６】本発明一実施形態の電子楽譜表示装置の動作のフローチャートを示す図である。
【図７】本発明の一実施形態において電子楽譜の分け方と表示色、背景色などの設定を行う設定メニューを説明するための図である。
【図８】本発明の他の実施形態において、電子楽譜のデータ色と背景色とを反転させて表示した状態を説明するための図である。
【図９】本発明の他の実施形態において、電子楽譜として総譜を表示した状態を説明するための図である。
【図１０】図９に示した実施形態の電子楽譜として、総譜の表示区分が遷移している状態を説明するための図である。
【符号の説明】
１ａ…指揮者　、１ｂ，１ｃ，１ｎ…演奏者、２ａ，２ｂ，２ｃ，２ｎ…楽譜スタンド、３，３ａ，３ｂ，３ｃ，３ｎ…表示手段、４，４ａ，４ｂ，４ｃ、４ｎ…入力手段、１１…制御手段、１２…プログラム記憶手段、１３…楽譜情報記憶手段、１４…抽出手段、２０…電子楽譜、２１，２１ａ…楽譜データ、２２，２２ａ，２２ｂ，２２ｃ…背景部、２３，２３ａ，２３ｂ，２３ｃ…背景色。
【図１】
2004145219.tif 000003
【図２】
2004145219.tif 000004
【図３】
2004145219.tif 000005
【図４】
2004145219.tif 000006
【図５】
2004145219.tif 000007
【図６】
2004145219.tif 000008
【図７】
2004145219.tif 000009
【図８】
2004145219.tif 000010
【図９】
2004145219.tif 000011
【図１０】
2004145219.tif 000012